(57)【要約】      （修正有）【課題】充分な量の防災用品等を収納できるばかりでなく、日常の覚え書きや、非常時の書き置きボードとして利用できる壁埋め込み収納ボックスを提供する。【解決手段】中空壁１０２の内部空間に少なくとも一部が埋め込まれて保持される収納ボックス本体１０４と、上記収納ボックス本体の正面開口部１０８を開閉可能に覆う蓋体１０６と、上記収納ボックス本体の埋め込み周壁部から上記中空壁の内部空間に延出して設けられる１又は２以上の拡張ボックス１５８，１５９とを備えて構成される。【選択図】図２
2009215871.tif 000002
【特許請求の範囲】
【請求項１】
中空壁の内部空間に少なくとも一部が埋め込まれて保持される収納ボックス本体と、
上記収納ボックス本体の正面開口部を開閉可能に覆う蓋体と、
上記収納ボックス本体の埋め込み周壁部から上記中空壁の内部空間に延出して設けられる１又は２以上の拡張ボックスとを備える、壁埋め込み収納ボックス。
【請求項２】
上記蓋体の裏面に１又は２以上の収納手段を設けるとともに、
上記正面開口部を覆う閉位置において、上記収納手段が上記収納ボックス本体内に収納されるように構成されている、請求項１に記載の壁埋め込み収納ボックス。
【請求項３】
上記蓋体裏面と上記収納ボックス本体底面の異なる位置にそれぞれ上記収納手段を設けるとともに、
上記閉位置において、上記蓋体側に設けた収納手段が、上記収納ボックス本体側の収納手段を設けていない空間に収納されるように構成した、請求項１又は請求項２のいずれかに記載の壁埋め込み収納ボックス。
【請求項４】
上記収納手段は、着脱手段を介して位置変更可能に保持されている、請求項２又は請求項３のいずれかに記載の壁埋め込み収納ボックス。
【請求項５】
上記着脱手段は、上記収納手段を磁力によって着脱可能に保持するものである、請求項４に記載の壁埋め込み収納ボックス。
【請求項６】
上記着脱手段は、上記収納手段を面ファスナによって着脱可能に保持するものである、請求項４に記載の壁埋め込み収納ボックス。
【請求項７】
上記収納手段は、箱状に形成されている、請求項２から請求項６のいずれか１項に記載の壁埋め込み収納ボックス。
【請求項８】
上記収納手段が、棚状に形成されている、請求項２から請求項６のいずれか１項に記載の壁埋め込み収納ボックス。
【請求項９】
上記収納手段がフック状に形成されている、請求項２から請求項６のいずれか１項に記載の壁埋め込み収納ボックス。
【請求項１０】
上記蓋体に、上記収納手段に通じる蓋体開口部を設けた請求項２から請求項９のいずれか１項に記載の壁埋め込み収納ボックス。
【請求項１１】
上記蓋体開口部を開閉可能に覆う第２の蓋体を備える、請求項１０に記載の壁埋め込み収納ボックス。
【請求項１２】
上記蓋体の表面、上記蓋体の裏面、上記収納ボックス本体の底面の選択された部位に、筆記消去可能な表示部を設けた、請求項１から請求項１１のいずれか１項に記載の壁埋め込み収納ボックス。
【請求項１３】
上記表示部は、表面が発光するように構成されている、請求項１２に記載の壁埋め込み収納ボックス。
【請求項１４】
上記表示部は、発光材料を積層した発光層と、表面に筆記消去可能な透明層とを備える面状発光体を備えて構成されている、請求項１２又は請求項１３のいずれかに記載の壁埋め込み収納ボックス。
【請求項１５】
上記発光材料が蓄光物質である、請求項１４に記載の壁埋め込み収納ボックス。
【請求項１６】
上記蓋体の表面及び／又は収納ボックス本体の底面に、筆記消去可能な表示部を有するコンピュータディスプレイ装置を備えて構成される、請求項１２又は請求項１３のいずれか１項に記載の壁埋め込み収納ボックス。
【請求項１７】
上記蓋体の表面及び／又は上記収納ボックス本体の底面に、テレビ電話システムのディスプレイ装置を備えて構成される、請求項１から請求項１６のいずれかに記載の壁埋め込み収納ボックス。
【発明の詳細な説明】
【技術分野】
【０００１】
本願発明は、壁埋め込み収納ボックスに関する。詳しくは、外観が非常にコンパクトであるばかりでなく内部に多量の物品を収納できるとともに、日常の覚え書きや、非常の場合等の伝言板等としても利用できる壁埋め込み収納ボックスに関する。
【背景技術】
【０００２】
消火器や懐中電灯、携帯ラジオ等の防災用具は、玄関の棚等に収納されることが多い。しかしながら、マンション等の玄関は狭く、これら防災用具を収納するスペースを確保するのが困難である。上記問題を解消するため、壁埋め込みタイプの収納箱が提案されている。
【０００３】
【特許文献１】特開２００５−２９６５７９
【０００４】
上記特許文献１に記載されている壁埋め込み型常設防災用品収納箱は、防災用品の常備収納手段として、間仕切壁面に埋め込み型収納箱を設置するものである。上記手法を採用することにより、壁を有効利用して防災用品を収納することができる。
【発明の開示】
【発明が解決しようとする課題】
【０００５】
上記特許文献１に記載されている壁埋め込み型収納箱は、壁面に、埋め込みタイプの棚を設置するものである。このため、収納した防災用品を容易に取り出すことができるものの、防災用品が常時目に触れることになり、見栄えが良いとはいえない。したがって、玄関等に設けるのは敬遠される。ましてや、リビングルーム等に設置することはできない。
【０００６】
また、収納量を確保するには大きな収納箱を設置するのが好ましいが、そうすると、壁面に大きな開口部を設ける必要がある。ところが、壁面に大きな開口部を設けると壁面の見栄えが低下するばかりでなく、壁自体の強度が低下したり、収納箱の設置工事が困難になったりする恐れもある。しかも、マンション等の間仕切壁は、厚さが小さいため、大きな収納スペースを確保するのも困難である。
【０００７】
また、外出する際には、帰宅していない家族等に伝言を残したい場合がある。通常は、電話等を用いて連絡できるのであるが、地震等の非常時には電話がつながらない可能性が高い。このような場合、書き置き等を残すのが一般的であるが、決まった場所等に書き置き等を残しておかないと伝わらない場合も考えられる。また、地震等で停電している場合には、上記書き置きを見つけることが困難になる。
【０００８】
本願発明は、上記従来の問題を解決し、防災用品のみならず日用品等を収納することができるとともに、非常の際に上記防災用品を迅速に取り出すことができ、しかも、日常の覚え書きや、非常時の伝言板としても利用できる壁埋め込み収納ボックスを提供するものである。
【課題を解決するための手段】
【０００９】
本願の請求項１に記載した壁埋め込み収納ボックスは、中空壁の内部空間に少なくとも一部が埋め込まれて保持される収納ボックス本体と、上記収納ボックス本体の正面開口部を開閉可能に覆う蓋体と、上記収納ボックス本体の埋め込み周壁部から上記中空壁の内部空間に延出して設けられる１又は２以上の拡張ボックスとを備えて構成される。
【００１０】
本願発明においては、収納ボックス本体の少なくとも一部を壁に埋め込むことにより、中空壁内部のスペースを有効利用できる。
【００１１】
また、上記収納ボックス本体の正面開口部には、蓋体が開閉可能に設けられる。上記蓋体を設けることにより、上記収納ボックス本体内に収納した防災用品等が目に触れることがなくなる。このため、外観見栄えが良くなり、収納場所が制限されることがなくなる。しかも、上記蓋体は、開閉可能に装着されているため、非常時において、防災用品を取り出す際に邪魔になることはない。上記蓋体を開閉可能に装着する手法は特に限定されることはなく、丁板等を用いて開閉回動可能に設けることができる。また、蓋体の開く方向も特に限定されることはなく、側部において開閉回動可能に保持できるばかりでなく、蓋体を上縁部あるいは下縁部で開閉可能に連結して、上方向あるいは下方向に開くように構成することもできる。また、観音開等の形態を採用することもできる。
【００１２】
上記収納ボックスの形態も特に限定されることはない。たとえば、直方体状のみならず円形、ハート型等のデザイン性の高い収納ボックスを採用することができる。
【００１３】
さらに、本願発明では、上記収納ボックス本体の埋め込み周壁部から上記中空壁の内部空間に延出する拡張ボックスが設けられる。
【００１４】
上記拡張ボックスは、収納ボックス本体の周壁部から中空壁の内部空間に延出して設けられる。このため、上記収納ボックス本体を装着するための壁面開口部を大きくすることなく、収納量を増加させることが可能となる。したがって、壁面の見栄えを低下させることなく、大きな容量の収納ボックスを設置することが可能となる。
【００１５】
上記拡張ボックスの形態、延出位置及び数は特に限定されることはない。また、拡張ボックスを設ける目的も限定されることはない。
【００１６】
上記拡張ボックスを設ける部位も特に限定されることはない。たとえば、正面視矩形状の収納ボックス本体を採用する場合、左右壁や上下側壁の選択した１又は２以上の部位に拡張ボックスを設けることができる。また、中空壁の内部空間の厚さが大きい場合には、背面側に拡張ボックスを設けることもできる。また、左右壁のほぼ全面に上記拡張ボックスを設けることもできるし、これらの一部から延出する拡張ボックスを設けることもできる。さらに、上記拡張ボックスを収納を目的として設けることができるばかりでなく、電源や照明装置を設置するために設けることもできる。なお、上記拡張ボックスは、上記収納ボックス本体の内部空間を介して、中空壁へ延出させて取り付けるように構成するのが望ましい。これにより、壁に設ける取付用開口部の大きさを小さく設定できる。
【００１７】
請求項２に記載した発明は、上記蓋体の裏面に１又は２以上の収納手段を設けるとともに、上記正面開口部を覆う閉位置において、上記収納手段が上記収納ボックス本体内に収納されるように構成されているものである。
【００１８】
上記拡張ボックスを設けた場合、上記収納ボックス内に物を収納すると、拡張ボックス内の収納品を取り出す際の邪魔になる場合がある。特に、上記拡張ボックスを設けた周壁部近傍に物を収納すると、上記拡張ボックス内に収納した物を取り出す際の障害にもなる。したがって、上記拡張ボックス内に非常用品を収納しておく場合は、上記部位に物を収容しないようにするのが好ましい。ところが、上記収納ボックス本体内に物を収納できないと、その分収納スペースが制限されることになる。請求項２に記載した発明は、上記不都合を蓋体の裏面に収納手段を設けることにより解消したものである。
【００１９】
本請求項に記載した発明では、上記収納手段は蓋体の裏面に設けられている。したがって、蓋体を開いた状態において、上記収納手段は、上記収納ボックス本体の空間から排出された状態となる。このため、上記拡張ボックス内に収容した物を取り出す際に、上記収納手段が邪魔になることはない。しかも、上記収納ボックス本体内に直接物を収納した場合、上記蓋体は閉まらないように構成できる。したがって、上記収納ボックス本体内に、直接物を収納するのを防止することも可能となる。特に、拡張ボックス内に非常用品を収納した場合に、取り出し経路を確保することができる。
【００２０】
さらに、上記蓋体に収納手段を設けることにより、上記収納ボックス本体内の空間いっぱいまで収納スペースを広げることができる。これにより、拡張ボックスに対する収容物の収納・取出経路を確保しながら、上記収納ボックス内の空間を有効利用することができる。
【００２１】
上記拡張ボックスからの物の出入りが阻害されない範囲で、上記収納ボックス本体側に収納手段を設けることができる。たとえば、請求項３に記載した発明のように、上記蓋体裏面と上記収納ボックス本体底面の異なる位置にそれぞれ上記収納手段を設けるとともに、上記閉位置において、上記蓋体側に設けた収納手段が、上記収納ボックス本体側の収納手段を設けていない空間に収納されるように構成することができる。
【００２２】
たとえば、収納ボックス本体の左右周壁部分に拡張ボックスが設けられている場合、収納ボックス本体の底面の左右の中央部に、横幅の狭い棚等を設けても、上記拡張ボックスに対する物の出し入れが阻害されない場合がある。本請求項に係る発明は、上記拡張ボックスの物の出し入れ経路でない部分においては、上記収納ボックス本体側に収納手段を設ける一方、上記経路にあたる部分においては、蓋体側に収納手段を設け、蓋体を閉じた場合、蓋体側の収納手段が、上記収納ボックス本体の収納手段が設けられていない空間に収納されるように構成したものである。上記構成を採用することにより、収納ボックス本体内の空間を有効に活用することができる。また、上記拡張ボックスに対する物の出し入れ経路に物を収納するのを防止できる。
【００２３】
さらに、蓋体と収納ボックス本体の一方に設けた収納手段の間の空間に、他方に設けた収納手段が収納されるように構成すると、収納ボックス本体の空間全体に物を収納できるとともに、蓋開側あるいは収納ボックス本体側に設けた複数の収納手段を分離間して配置することができる。これにより、物の出し入れを容易に行うことも可能となる。
【００２４】
請求項４に記載した発明は、上記収納手段を、着脱手段を介して位置変更可能に保持したものである。
【００２５】
拡張ボックスを設ける位置、大きさ、収納する物等によって、物を出し入れするために必要なスペースは異なる。本請求項に記載した発明は、上記収納手段を設ける位置を変更することにより、収納ボックス本体の空間を有効に活用しようとするものである。
【００２６】
上記着脱手段は、蓋体裏面と収納ボックス本体底面の一方又は双方に設けることができる。上記着脱手段は、収納手段を位置変更可能に保持できれば、特に限定されることはない。たとえば、収納手段をねじを用いて取り付ける場合、収納手段設置可能範囲に、複数の取り付け用ねじ穴等を設けておき、所望の位置に収納手段を設置できるように構成できる。
【００２７】
また、請求項５に記載した発明のように、上記着脱手段を、上記収納手段を磁力によって着脱可能に保持するように構成できる。また、請求項６に記載した発明のように、上記着脱手段を、上記収納手段を面ファスナによって着脱可能に保持するように構成することができる。
【００２８】
上記収納手段も種々の構成のものを採用することができる。たとえば、請求項７に記載した発明のように、上記収納手段を、箱状に形成することができる。箱状の収納手段を採用する場合、上部を開口して収納物を出し入れできるように構成することができる。また、請求項８に記載した発明のように、上記収納手段として、棚状に形成されたものを採用できる。さらに、請求項９に記載した発明のように、フック状の収納手段を採用することができる。
【００２９】
請求項１０に記載した発明は、上記蓋体に、上記収納手段に通じる蓋体開口部を設けたものである。上記蓋体開口部を設けることにより、日常は、上記蓋体を開けることなく上記蓋体開口部から上記収納手段に収納した物を出し入れできるる一方、非常時には上記蓋体を開けて拡張ボックスから非常用品を取り出すことができるように構成することができる。これにより、日常品と非常用品とを区別して収納し、非常の際にのみ非常用品を確実に取り出すことが可能となる。また、請求項１１に記載した発明のように、上記蓋体開口部を開閉可能に覆う第２の蓋体を備えて構成することもできる。これにより、外観見栄えも向上する。
【００３０】
請求項１２に記載した発明は、上記蓋体の表面、上記蓋体の裏面、上記収納ボックス本体の底面の選択された部位に、筆記消去可能な表示部を設けたものである。
【００３１】
日常は、電話等を用いて家族等に連絡できるのであるが、地震等の非常時には電話がつながらない可能性が高い。このような場合、書き置き等を残すのが一般的である。本請求項に記載した発明は、非常の際に、上記収納ボックスを伝言板として利用できるように構成したものである。
【００３２】
上記表示部の構成は特に限定されることはなく、一般的な黒板やホワイトボードを採用できる。また、上記表示部を設ける位置も特に限定されることはない。たとえば、上記表示部を上記蓋体の表面に設けて、日常の伝言板として利用できる。また、蓋体の裏面あるいは収納ホックス本体の底面に設けることにより、非常時の伝言板として利用できるように構成することができる。また、蓋体の裏面や収納ボックス本体に収納手段を設ける場合、上記収納手段の空きスペースや、収納手段自体の表面に設けることもできる。
【００３３】
また、地震等の非常時には停電している場合が多い。請求項１３に記載した発明のように、上記表示部を、表面が発光するように構成するのが好ましい。
【００３４】
上記表示部を発光させることにより、停電等した場合に上記壁埋め込み収納ボックスの位置を容易に認識できるとともに、表面にメモ書き等を筆記できるように構成される。
【００３５】
すなわち、地震等によって停電した場合、蓋体の上記表示部を発光させることにより、上記収納ボックスの位置を容易に認識することが可能となる。なお、停電時のみに発光させるように構成することもできるし、周囲の明るさを関知するセンサー等を設けて所定の明るさ以下になった場合に発光するように設定することができる。
【００３６】
また、請求項１４に記載した発明のように、上記表示部を、発光材料を積層した発光層と、表面に筆記消去可能な透明層とを備える面状発光体を備えて構成することができる。上記発光材料は特に限定されることはない。種々の面状発光体を採用できる。
【００３７】
特に、本願発明では、上記表示部の表面を筆記消去可能に構成している。すなわち、発光面にメモ等の伝言を記載することが可能となる。発光面に記載した文字等は、発光面に浮き上がるように表れるため、暗闇でも容易に判読することができる。これにより、従来にない伝言板を構成することが可能となる。上記筆記消去可能な発光面は、蓋体の全面に設けることもできるし、その一部に設けることもできる。筆記するための道具として、ホワイトボード用の筆記具や消去具を利用するように構成することにより、利便性が高まる。これにより、停電時等にも上記表示部を確実に認識することができる。また、非常用品の収納場所を認識することもできる。
【００３８】
また、請求項１５に記載した発明のように、上記発光材料として蓄光材料を採用できる。蓋体の表面に表示部を設ける場合等には、この構成を採用することにより、太陽光が差し込む場所や、照明等を使用する場所に設置して昼間に光エネルギを蓄えて夜間に発光するように構成することができる。
【００３９】
また、請求項１６に記載した発明のように、上記蓋体の表面及び／又は収納ボックス本体の底面に、筆記消去可能な表示部を有するコンピュータディスプレイ装置を備えて構成することもできる。
【００４０】
液晶ディスプレイ装置等を利用することにより、上記蓋体を情報表示装置として使用することが可能となる。また、種々の絵柄等を容易に表示することも可能であるため、インテリアとして機能させることもできる。非常時に備えて、液晶ディスプレイを採用する場合に、蓄電池で作動するように構成するのが望ましい。また、請求項１７に記載した発明のように、上記蓋体に、テレビ電話システムのディスプレイ装置を備えて構成することもできる。
【発明を実施するための最良の形態】
【００４１】
以下、本願発明を図に基づいて具体的に説明する。
【００４２】
図１に本願発明の第１の実施形態に係る壁埋め込み収納ボックス１０１の全体斜視図を、図２にこの壁埋め込み収納ボックス１０１の取付手順を示す分解斜視図を示す。
【００４３】
上記壁埋め込み収納ボックス１０１は、中空壁１０２の内部空間に少なくとも一部が埋め込まれて保持される収納ボックス本体１０４と、上記収納ボックス本体１０４の正面開口部１０８を着脱可能に覆う蓋体１０６と、上記収納ボックス本体１０４の左右側壁部から上記中空壁１０２の内部空間に延出して設けられる拡張ボックス１５８，１５９とを備える。
【００４４】
上記収納ボックス本体１０４は、上記正面開口部１０８を有する矩形箱状に形成されているとともに、上記正面開口部１０８の周囲に鍔部１０５が形成されている。上記収納ボックス本体１０４は、上記中空壁１０２に設けた壁面開口部１０３に嵌め込まれ、上記鍔部１０５を上記壁面開口部１０３の表面側縁部に添着した状態で取り付けられる。上記収納ボックス本体１０４は、上記鍔部１０５を上記中空壁表面の壁面開口縁部にネジ止めし、あるいは、収納ボックス本体１０４の背面を中空壁の奥面等にネジ止め等することにより固定される。
【００４５】
上記拡張ボックス１５８，１５９は、上記収納ボックス本体１０４の内部空間に開口する収容空間１５８ｂ，１５９ｂを備える矩形箱状に形成されている。上記収容空間１５８ｂ，１５９ｂの開口縁部には、上記収納ボックス本体に止着される鍔部１６１，１６２が形成されており、上記収納ボックス本体１０４の左右壁部に設けた取付開口部１５５，１５６から、中空壁１０２の内部空間に延出させて取り付けられる。
【００４６】
上記拡張ボックス１５８．１５９の正面開口部側の側壁部１５８ａ，１５９ａは、これが取付られた収納ボックス本体１０４の側壁部に近づくに従って上記正面開口部１０８に近接するテーパ状に形成されている。これにより、上記収納ボックス本体１０４と上記拡張ボックス１５８，１５９の連結角部の角度が緩和され、上記拡張ボックス１５８，１５９内に収納した収納品を、上記正面開口部１０８から円滑に取り出すことができる。
【００４７】
上記拡張ボックス１５８．１５９は、図２に示すように、上記正面開口部１０８から収納ボックス本体１０４の内部空間へ挿入することができる形態に形成されているとともに、上記取付開口部１５５，１５６から中空壁１０２の内部空間へ延出させられる。その後、上記鍔部１６１，１６２を上記収納ボックス本体１０４の上記取付開口部１５５，１５６の縁部にねじ等を用いて固定される。
【００４８】
上記収納ボックス本体１０４の鍔部１０８の側部には、上記蓋体１０６を開閉できる丁板１１１が設けられている。上記蓋体１０６は、上記丁板１１１を介して上記正面開口部１０８及び上記鍔部１０５を覆うようにして開閉回動可能に装着される。
【００４９】
上記蓋体１０６の表面には、筆記消去可能の表示部１０７が設けられている。本実施形態に係る上記表示部１０７は、図４に示すように、ベースフィルム１１２と、このベースフィルム１１２に積層された蓄光層１１３と、この蓄光層１１３を上記ベースフィルムの１１２間で挟むように積層される透明フィルム１１４とを備えた積層体を、蓋体１０６の表面に貼着して構成されている。上記蓄光層１１３には、白色系の蓄光材料が採用されるとともに、上記透明フィルム１１４の表面は、ホワイトボード用の筆記具で文字等を筆記でき、また消去具で消去できるように構成されている。
【００５０】
このため、明るい間は、上記蓋体１０６をホワイトボードとして使用できる。また、夜間には、上記表示部１０７の表面が発光するため、上記収納ボックスの位置を容易に確認することができる。また、上記表示部１０７に文字を記載すると、暗闇でも容易に判読することができる。このため、日常の覚え書き等に使用できるのみならず、停電時における伝言板等として機能させるとも可能となる。
【００５１】
上記表示部１０７としてコンピュータディスプレイとして利用されている液晶表示装置を利用することができる。この場合、コンピュータやテレビ受信機と接続して、所望の画面を表示させることができる。また、上記液晶ディスプレイの表面を筆記消去可能に構成することにより、画面から得られた情報を容易に書き留めることもできる。
【００５２】
さらに、上記液晶ディスプレイを、テレビ電話通信機と接続して、テレビ電話の画面として利用することもできる。
【００５３】
なと、本実施形態では、上記表示部１０７を上記蓋体１０６の表面に設けたが、上記蓋体の裏面や、上記収納ボックスの底面に設けることもできる。
【００５４】
図５及び図６に、本願発明の第２の実施形態体を示す。
【００５５】
本実施形態は、蓋体２０６の裏面に収納手段２６１，２６２，２６３，２６４を設けたものである。なお、収納ボックス本体２０４、拡張ボックス２５８，２５９の構成は、上記第１の実施形態と同様であるので説明は省略する。
【００５６】
本実施形態では、面ファスナを用いて上記各収納手段を保持するように構成している。上記収納ボックスの開口部２０８に対応する上記蓋体２０６の裏面２８０には、一方の面ファスナ２８１が、粘着両面テープ等によって貼着されている。
【００５７】
上記収納手段として、上方に開口する直方体ボックス状の収納手段２６３と、棚状の収納手段２６１，２６２と、キー等を吊るすことができるフック状の収納手段２６４が採用されている。なお、収納手段の形態は特に限定されることはなく、種々の形態の収納手段を採用することができる。また、収納手段の機能も特に限定されることはない。たとえば、非常電源用のタップを設けらるための収納手段を設けることもできる。
【００５８】
各収納手段２６１〜２６４の裏面には、他方の面ファスナ２７１が貼着されており、上記蓋体側の面ファスナ２８１と嵌合させることにより、上記収納手段２６１〜２６４が、上記蓋体２０６の裏面に保持される。
【００５９】
上記収納手段２６１，２６２，２６３，２６４は、上記蓋体２０６を閉じた状態で、上記収納ボックス本体２０４の内部空間に収納されるように配置される。一方、上記蓋体２０６を開いた状態においては、上記各収納手段２６１，２６２，２６３，２６４は、上記収納ボックス本体２０４の内部空間から排出された状態となる。このため、上記拡張ボックス２５８，２５９内に収容した物を取り出す際に、上記収納手段２６１，２６２，２６３，２６４が邪魔になることはない。しかも、上記収納ボックス本体内に、直接他の物を収納した場合、上記蓋体２０６は閉まらない。したがって、上記収納手段を設けることにより、上記収納ボックス本体２０４内に、直接物を収納するのを防止することも可能となる。これにより、拡張ボックス２５８，２５９内に収納した物の取り出し経路を確保することができる。したがって、非常の場合、上記拡張ボックス内から上記物を容易に取り出すことができる。
【００６０】
さらに、上記蓋体２０６の裏面２８０に収納手段を設けることにより、上記収納ボックス本体内の空間いっぱいまで収納スペースを広げることができる。これにより、拡張ボックス２５８，２５９への収容物の収納・取出経路を確保しながら、上記収納ボックス本体を効率よく利用して収納容量を増加させることができる。
【００６１】
また、図６に示すように、本実施形態では、蓋体２０６の裏面２８０の上記開口部２０８に対応する全領域に一方の面ファスナ２８１を設けることにより、上記各収納手段２６１，２６２，２６３，２６４の保持位置を変更できるように構成している。上記構成を採用することにより、所望の部位に上記各収納手段２６１，２６２，２６３，２６４を配置して、種々の物を整理収納することができる。また、上記拡張ボックス２５８，２５９から収納ボックス本体内にはみ出るような物を収納する場合にも、上記各収納手段２６１，２６２，２６３，２６４の保持位置を容易に変更して対応することができる。
【００６２】
拡張ボックスを設ける位置、大きさ、収納する物等によって、物を出し入れするために必要なスペースは異なる。このため、上記拡張ボックスに対する物の出し入れの邪魔にならない範囲で、収納手段を、上記収納ボックス本体２０４の底面に設けることもできる。この場合においても、上記収納ボックス本体２０４の底面に面ファスナを貼着して、収納手段を位置変更可能に保持するように構成するのが好ましい。この構成を採用することにより、収納物等に応じて、上記収納手段の位置を変更して出し入れの経路を確保することができる。
【００６３】
図７から図９に、本願発明の第３の実施形態を示す。本実施形態は、上記蓋体３０６の裏面と、上記収納ボックス本体３０４の底面３８２の双方に収納ボックスを設けたものである。なお、第３の実施形態においても、上記収納ボックス本体３０４、蓋体３０６、拡張ボックス３５８，３５９の構成は、第１の実施形態と同様であるので説明は省略する。
【００６４】
本実施形態は、上記蓋体３０６の裏面に収納手段３６１，３６２を設けるとともに、上記収納ボックス本体３０４の底面３８２に収納手段３６３を設けたものである。上記収納手段３６１，３６２は、上方に開口した直方体箱状に形成されている。一方、上記収納手段３６３は棚状に形成されている。上記蓋体側の収納手段３６１，３６２は、上記蓋体３０６の裏面に溶接等によって固定的に設けられている。一方、上記収納ボックス本体の底面は鉄系材料で形成されており、収納ボックス本体側の収納手段３６３は、シート状の磁石３７１を介して上記収納ボックス本体の底面３８２に位置変更可能に保持されている。
【００６５】
上記収納手段３６１，３６２と、上記収納手段３６３は、上記蓋体３０６の裏面３８０と上記収納ボックス本体３０４の底面３８２の異なる位置に配置されている。このように配置することにより、図８に示すように、上記蓋体３０６の閉位置において、上記蓋体側に設けた収納手段３６１，３６２が、上記収納ボックス本体側の収納手段３６３を設けていない内部空間に収納されるように構成することができる。
【００６６】
図７に示すように、上記収納ボックス本体側に設けた収納手段３６３は、上記底面３８２の中央部に保持されている。このため、左右の拡張ボックス３５８、３５９に物を出し入れする際に、上記収納手段３６３が邪魔になることはない。また、左右方向に位置変更可能である。上記構成を採用することにより、収納ボックス本体内の空間を有効に活用することができる。しかも、上記拡張ボックス３５８，３５９に対する物の出し入れ経路に物を収納するのを防止できる。
【００６７】
また、図７に示すように、蓋体３０６を閉じた状態で、収納ボックス本体側に設けた収納手段３６３を、上記蓋体側に設けた収納手段３６１，３６２の間に収容するように構成している。これにより、蓋体側に保持された２つの収納手段３６１，３６２が、上下に離間して設けられる。このため、これら収納手段３６１，３６２に対する物の出し入れを容易に行うことも可能となる。したがって、収納スペースを拡大できるばかりでなく、使い勝手を向上させることもできる。
【００６８】
図１０に、本願発明の第４の実施形態を示す。この実施形態は、埋め込み収納ボックス４０１を利用して、セキュリティシステムのコントロール装置４０７を設置したものである。なお、収納ボックス本体の構造は、上述した実施形態と同様であるので説明は省略する。
【００６９】
本実施形態では、蓋体４０６を利用して上記コントロール装置４０７が設置されている。上記コントロール装置４０７は、液晶パネル等から構成される表示・操作部４０７ａと、制御回路等を収容した箱状の制御部４０７ｂとを備えて構成されている。
【００７０】
上記蓋体４０６には、上記制御部４０７を挿入できる蓋体開口部４０６ａが設けられている。上記コントロール装置４０７は、上記制御部４０７ａを上記蓋体開口部４０６ａから収納ボックス本体４０４内に埋め込むようにして、上記蓋体４０６に取り付けられる。
【００７１】
上記セキュリティシステムは、たとえば、地震や火事等の際に、図示しないセンサー等から、ケーブル４０７ｃ等を介して信号を受信し、上記表示・操作部４０７ａに表示できるように構成されている。また、上記表示・操作部４０７ａは、操作パネルとして使用できるようにも構成されており、消防署等への通報を行うためのボタンや、非常用のテレビ電話システムとして利用できるように構成することもできる。
【００７２】
上記構成を採用することにより、上記制御部４０７ｂを、収納ボックス本体４０４内に収納することができるため、上記コントロール装置４０７を見栄えよく収納することができる。しかも、上記蓋体４０６を開けた場合、上記制御部４０７ｂが、上記収納ボックス本体４０４内から排出されるため、拡張ボックス４５８，４５９への物の出し入れの障害になることもない。このため、非常用品等を収納しておくことも可能となる。さらに、非常の際には、上記表示・操作部に、拡張ボックス内に収納された非常用品の使用方法等を表示することもできる。
【００７３】
なお、上記第４の実施形態では、コントロール装置を蓋体４０６に設けたが、上記収納ボックス本体４０４内に設けることもできる。また、蓋体に表示・操作部のみ設ける一方、拡張ボックス４５８，４５９内に制御部を設けることもできる。
【００７４】
図１１及び図１２に、本願発明の第５の実施形態を示す。なお、収納ボックス本体５０４及び拡張ボックス５５８，５５９の形態は、第１の実施形態と同様であるので説明は省略する。
【００７５】
第５の実施形態は、蓋体５０６に収納手段５０７を設けるとともに、蓋体の表側から上記収納手段５０７に、収納物を出し入れできるように構成したものである。
【００７６】
上記蓋体５０６は、収納ボックス本体５０４の正面開口部５０８に、丁番５１１ａを介して開閉回動可能に取り付けられている。上記蓋体５０６には、収納手段５０７を取り付けるための、矩形状の蓋体開口部５０６ａが設けられている。
【００７７】
上記収納手段５０７は、上記蓋体開口部５０６ａから収納手ボックス本体５０４内に埋め込むようにして取り付けられるとともに、正面側に開口された矩形ボックス５０７ｂと、蓋体開口部を覆うように、丁板５１１ｂを介して回動可能に設けられた第２の蓋体５０７ａとを備える。
【００７８】
図１２に示すように、上記収納手段５０７は、蓋体５０６の閉状態では、上記収納ボックス本体５０４内に収容される。このため、上記収納ボックス本体５０４内に物を収納するのを防止できる。一方、上記収納手段５０７は、上記蓋体５０６と一体的に回動させられて、蓋体５０６の開状態で上記収納ボックス本体から排除されるように構成されている。このため、上記蓋体５０４の開状態では、上記拡張ボックスに対する物を出し入れ経路を確保できる。また、上述した実施形態と同様に、上記収納ボックス本体５０４内に、直接物を収納するのを防止できる。
【００７９】
しかも、本実施形態では、上記第２の蓋体５０７ａを開けて、上記収納手段５０７に、物を出し入れできる。すなわち、上記収納手段５０７に対して物を出し入れするのに、上記蓋体５０４を開ける必要はない。
【００８０】
上記構成を採用することにより、たとえば、上記拡張ボックス内に非常用品を収納する一方、上記収納手段５０７に日用品等を収納できる。すなわち、非常用品と日用品とを、同じ収納ボックス内に分離して収納することが可能となる。このため、一つの収納ボックス内に、場面に応じて必要な物を出し入れすることが可能となる。
【００８１】
本願発明は上述した実施形態に限定されることはない。上記実施形態では、各収納手段は、保持位置を変更できるように構成したが、固定的に設けることもできる。また、全体が矩形箱状の埋め込み収納ボックスを採用したが、ボックス形態は限定されることはない。たとえば、正面視３角形状やハート型形状のボックスを採用し、ボックス形状自体に装飾性をもたせることができる。
【００８２】
また、拡張ボックスの形態及び取付手法も実施の形態に限定されることはなく、種々の手法を用いて種々の形態の拡張ボックスを設けることができる。
【産業上の利用可能性】
【００８３】
防災用品のみならず日用品等を収納することができるとともに、非常の際に上記防災用品を迅速に取り出すことができ、しかも、日常の覚え書きや、非常時の書き置きボードとしても利用できる。
【図面の簡単な説明】
【００８４】
【図１】本願発明に係る壁埋め込み収納ボックスの全体斜視図である。
【図２】図１に示す壁埋め込み収納ボックスの取付手順を示す分解斜視図である。
【図３】図１における III−III 線に沿う断面図である。
【図４】表示部の拡大断面図である。
【図５】第２の実施形態に係る埋め込み収納ボックスの収納手段の取付手法を示す全体斜視図である。
【図６】蓋体の裏面へ収納手段を取り付けた状態を示す図である。
【図７】第３の実施形態に係る埋め込み収納ボックスの蓋体を開いた状態を示す要部斜視図である。
【図８】図７に示す埋め込み収納ボックスの正面図である。
【図９】図８におけるＩＸ−ＩＸ線に沿う断面図である。
【図１０】第４の実施形態に係る埋め込み収納ボックスを示す図であり、図９に対応する断面図である。
【図１１】第５の実施形態に係る埋め込み収納ボックスを示す図であり、図９に対応する断面図である。
【図１２】図１１に示す実施形態に係る埋め込み収納ボックスの蓋体を開けた状態を示す断面図である。
【符号の説明】
【００８５】
１０２  中空壁
１０４  収納ボックス本体
１０６  蓋体
１０８  正面開口部
１５８  拡張ボックス
１５９  拡張ボックス
【図１】
2009215871.tif 000003
【図２】
2009215871.tif 000004
【図３】
2009215871.tif 000005
【図４】
2009215871.tif 000006
【図５】
2009215871.tif 000007
【図６】
2009215871.tif 000008
【図７】
2009215871.tif 000009
【図８】
2009215871.tif 000010
【図９】
2009215871.tif 000011
【図１０】
2009215871.tif 000012
【図１１】
2009215871.tif 000013
【図１２】
2009215871.tif 000014